(57)【要約】【課題】ルアーアクセス器具と別個の器具とのねじ結合を改良する。【解決手段】保持構造が、ルアーアクセス器具と別個の器具のねじ結合の干渉を提供するように構成され、ルアーアクセス器具は、さらに、２つのねじ結合される器具の間で、柔軟なインターフェースを提供するセプタムを含む。本発明の保持構造は、相互接続される器具間の柔軟なインターフェースにもかかわらず、締め付けられたねじ結合の触覚感知を使用者に提供するように設計される。本発明の保持構造は、さらに、「スプリングバック」と、相互接続された器具の意図しない係合解除を防止する。【選択図】図３Ｄ
2019103898.tif 000002
【特許請求の範囲】
【請求項１】
ルアーアクセス器具であって、該ルアーアクセス器具は、
外側表面を有する本体と、
前記外側表面に形成され、ニードルレスコネクタを受け入れるように構成された開口部と、
前記開口部内に配置され、前記ニードルレスコネクタを受け入れるためのスリットを有する柔軟なセプタムと、
前記外側表面上で、前記開口部に近接して配置された、一連のねじ部であって、前記本体の一部が前記一連のねじ部に隣接している、前記一連のねじ部と、
前記一連のねじ部に隣接した前記本体の前記一部に配置された保持構造を含み、
前記保持構造は、前記ニードルレスコネクタの一連の相補的なねじ部が、前記一連のねじ部にねじ結合され、前記柔軟なセプタムの露出した部分が、前記ルアーアクセス器具の本体と、前記ニードルレスコネクタの間に挟まれるとき、前記ニードルレスコネクタの一連の相補的なねじ部の一部と接触するように配置され、前記のねじ器具の意図しない係合解除に対する増大した抵抗と、前記ルアーアクセス器具と前記ニードルレスコネクタの間の締め付けられた結合の、使用者への触覚フィードバックを提供することを特徴とするルアーアクセス器具。
【請求項２】
請求項１の器具であって、前記保持構造は、突出部を含むことを特徴とする器具。
【請求項３】
請求項２の器具であって、前記一連のねじ部は、上側のねじ部と下側のねじ部を含み、前記一連のねじ部に隣接する前記本体の前記一部は、前記上側および下側のねじ部の間に介装されることを特徴とする器具。
【請求項４】
請求項３の器具であって、前記突出部は、前記下側のねじ部と当接する第１の端部と、前記上側のねじ部に当接する第２の端部を含むことを特徴とする器具。
【請求項５】
請求項４の器具であって、前記第２の端部は、前記第１の端部の突出高さよりも大きい突出高さを含み、前記突出部は、前記第２の端部から前記第１の端部へと、内方にテーパー状であることを特徴とする器具。
【請求項６】
請求項４の器具であって、前記第２の端部は、前記第１の端部の突出高さよりも大きい突出高さを含み、傾斜した前記突出部は、前記第２の端部から前記第１の端部へと、内方にテーパー状であることを特徴とする器具。
【請求項７】
請求項２の器具であって、前記突出部は、前方傾斜面と後方傾斜面を含み、前記前方傾斜面は、前記一連のねじ部に隣接する前記本体の前記一部から前記突出部の頂部へと、外向きにテーパー状であることを特徴とする器具。
【請求項８】
請求項７の器具であって、前記頂部が非対称であり、前記前方傾斜面とのインターフェースを形成する軸方向テーパーを提供するために、第２の幅よりも大きい第１の幅を含むことを特徴とする器具。
【請求項９】
請求項７の器具であって、前記前方傾斜面は、第１の傾斜角を含み、前記後方傾斜面は、第２の傾斜角を含み、前記第２の傾斜角は、前記第１の傾斜角よりも大きいことを特徴とする器具。
【請求項１０】
請求項９の器具であって、前記第１の傾斜角は、前記ルアーアクセス器具を前記ニードルレスコネクタにねじ結合するのに必要なトルクの漸増を提供し、前記第２の傾斜角は、前記ルアーアクセス器具と前記ニードルレスコネクタとの間のねじ結合を緩めるとき、当初抵抗を提供することを特徴とする器具。
【請求項１１】
請求項１の器具であって、前記保持構造は、バーブを含むことを特徴とする器具。
【請求項１２】
請求項１の器具であって、バーブは、前記ニードルレスコネクタの前記一連の相補的なねじ部よって接触されるとき、一時的に変形されることを特徴とする器具。
【請求項１３】
ルアーアクセス器具であって、該ルアーアクセス器具は、
外側表面を有する本体と、
前記外側表面に形成され、ニードルレスコネクタを受け入れるように構成された開口部と、
前記開口部内に配置され、前記ニードルレスコネクタを受け入れるためのスリットを有する柔軟なセプタムと、
前記外側表面上で、前記開口部に近接して配置された、一連のねじ部と、
前記一連のねじ部の一部に配置された保持構造を含み、
前記保持構造は、前記ニードルレスコネクタの一連の相補的なねじ部が、前記一連のねじ部にねじ結合され、前記柔軟なセプタムの露出した部分が、前記ルアーアクセス器具の本体と、前記ニードルレスコネクタの間に挟まれるとき、前記ニードルレスコネクタの一連の相補的なねじ部の一部と接触するように配置され、前記のねじ器具の意図しない係合解除に対する増大した抵抗と、前記ルアーアクセス器具と前記ニードルレスコネクタとの間の締め付けられた結合の使用者への触覚フィードバックを提供することを特徴とする器具。
【請求項１４】
請求項１３の器具であって、前記保持構造は、突出部を含むことを特徴とする器具。
【請求項１５】
請求項１４の器具であって、前記突出部は、先導端と後方端を含み、前記先導端は、前記一連のねじ部の外方縁部表面から前記突出部の頂部へと、外方にテーパー状である傾斜面を含むことを特徴とする器具。
【請求項１６】
請求項１５の器具であって、前記先導端は、第１の傾斜角を含み、前記後方端は、第２の傾斜角を含み、前記第２の傾斜角は、前記第１の傾斜角よりも大きいことを特徴とする器具。
【請求項１７】
請求項１３の器具であって、前記一連のねじ部は、前記一連のねじ部を第１部分と第２部分に分けるギャップを含み、前記保持構造は、前記第２部分に配置されることを特徴とする器具。
【請求項１８】
請求項１３の器具であって、前記一連のねじ部は、２つ以上のねじ部を含むことを特徴とする器具。
【請求項１９】
ルアーアクセス器具を製造する方法であって、該方法は、
外側表面を有する本体を提供するステップと
前記本体の前記外側表面に、ニードルレスコネクタを受け入れるように構成された、開口部を形成するステップと、
前記開口部に、前記ニードルレスコネクタを受け入れるためのスリットを有する、柔軟なセプタムを配置するステップと、
前記外側表面上で、前記開口部に近接して配置された、一連のねじ部を提供するステップであって、前記本体の一部は、前記一連のねじ部に隣接している、前記ステップと、
前記一連のねじ部に隣接した前記本体の前記一部に保持構造を配置するステップを含み、
前記保持構造は、前記ニードルレスコネクタの一連の相補的なねじ部が、前記一連のねじ部にねじ結合され、前記柔軟なセプタムの露出した部分が、前記ルアーアクセス器具の本体と、前記ニードルレスコネクタの間に挟まれるとき、前記ニードルレスコネクタの一連の相補的なねじ部の一部と接触するように配置され、前記のねじ器具の意図的でない係合解除に対する増大した抵抗と、前記ルアーアクセス器具と前記ニードルレスコネクタとの間の締め付けられた結合の使用者への触覚フィードバックを提供することを特徴とする方法。
【請求項２０】
請求項１９に記載の方法であって、前記保持構造は、突出部を含むことを特徴とする方法。
【発明の詳細な説明】
【技術分野】
【０００１】
本発明は、一般的に、２つ以上の器具間のねじ結合を改良するための構造および器具に関し、柔軟性インターフェースは、器具間に設けられる。特に、本発明は、ねじ結合を妨害するように構成された保持構造に関し、保持構造の存在は、ねじ器具のねじ部間の増大した摩擦力を提供し、それによって、器具を係合解除するのに必要な力を増大させ、ねじ結合の状態を示す触覚フィードバックを、使用者に提供する。
【背景技術】
【０００２】
従来のねじ式の円錐形またはルアー継手は、ねじ結合されるコネクタの対向面で、６％のルアーテーパーを利用する。コネクタのねじ部が、互いに対して回転させられると、雄型および雌型の円錐面が駆動されて、くさび結合され、それによって、しっかりとした、液密の結合を形成する。しばしば、このタイプの従来の結合は、雄型および雌型の円錐面が、非伸展性または同等に伸展性であるとき、最良に達成され、その結果、対向面は、しっかりとした嵌合を実現できる。これらの表面を締め付けるとき、雄型および雌型の円錐面の間の摩擦が、器具の係合解除に対する抵抗を提供し、さらに、完全かつしっかりとした結合が達成されたことを示す、触覚感知またはフィードバックを、使用者に提供する。
【０００３】
図１および図２を参照すると、従来技術の血管アクセス器具１０の描写が示される。一般的に、血管アクセス器具１０は、皮膚１４を横切って患者１８の血管１６内に、カテーテル１２を介して物質を導入するために使用される。血管アクセス器具１０は、典型的には、管腔または開口部３４と開口部内に配置された柔軟性セプタム２２を備える本体２０を含む。本体２０およびセプタム２２を含む血管アクセス器具１０は、現在当技術分野で知られているように、様々な構造や設計の変更を含み得る。
【０００４】
いくつかの例において、柔軟性セプタム２２は、スリット２４を有し、シリンジのような、別個の血管外器具２６が、それを通して血管アクセス器具１０内に物質を導入し得る。シリンジは、１つの例示的な別個の器具２６である。他の好適な公知の血管外装置は、追加の血管アクセス器具、ＩＶ投与セット、雄ルアーアダプタ、または、他の一般的な、または、まだ開発されていない医療機器を含み得る。
【０００５】
血管アクセス器具１０は、より大きな血管外システム２８を形成するために、様々な他の静脈内投与構成要素と組み合わされ得る。血管外システム２８の操作の一部として、別個の器具２６の先端部３０は、柔軟性セプタム２２のスリット２４を通して血管アクセス器具１０に挿入され得る。先端部３０は、器具１０を貫通し、セプタム２２の対向する二つのスリット面の少なくとも一部を分離する。セプタム２２およびスリット２４は、先端部３０が血管アクセス器具１０に挿入されると、先端部３０の周囲を、シール、または、少なくとも実質的にシールするように構成され得る。したがって、先端部３０が、十分に血管アクセス器具１０に挿入されるまで、スリットの端部の近くの表面は、分離され得ない。先端部３０は、器具が使用中であるとき、流体が、器具１０を通って、カテーテル１２に通じ、そして、カテーテルの端部３２から出て行くことを可能にするよう、スリット２４を開くために役立つ。
【０００６】
一般的に、血管アクセス器具１０の本体２０、および別個の器具２６は、ポリカーボネートまたはポリプロピレンのような、剛性または半剛性ポリマー材料を含む。セプタム２２は、一般に、シリコンまたはポリテトラフルオロエチレンのような、柔軟性で、可撓性の、弾性材料を含む。したがって、別個の器具２６が、セプタム２２のスリット２４を通して挿入されるとき、セプタム２２は、別個の器具２６と本体２０の、剛性または半剛性の材料の間に、柔軟性で、可撓性のバリアを提供する。セプタム２２と別個の器具２６との間のインターフェースは、きっちりと閉鎖され、流体密であるが、別個の器具２６の非伸展性材料、および、セプタム２２の伸展性材料は、接続の安全性を低減させ、伝統的なルアー結合で経験される、使用者に対する所望の触覚フィードバックを低減させ得る。したがって、使用者は、過剰締めつけであるか、不必要に検査される結合をもたらし得る、結合の安全性について確信を持ち得ない。
【０００７】
いくつかの例において、別個の器具２６を本体２０に螺合する行為は、セプタム２２の露出部分が、別個の器具２６と本体２０との間に挟まれることをもたらす。セプタム２２の弾性特性は、２つの螺合構成要素の間に「スプリングバック」作用をもたらし、別個の器具２６は、締め付けの後で、本体２０から部分的にねじ戻され得る。この「スプリングバック」作用は、さらに、結合の安全性を低減させ、セプタム２２の柔軟なインターフェースは、使用者が、別個の器具２６と本体２０との間の締付けの進行を感知することを妨げる、不満足な触感検知を使用者に提供し得る。したがって、使用者は、接続の自信を欠き、前述したように、構成要素を過剰締め付けするよう試み得る。
【発明の概要】
【発明が解決しようとする課題】
【０００８】
このように、螺合器具を相互接続するために使用される技術が、目下、存在する限り、課題は、まだ存在する。したがって、現在の技術を増強させ、あるいは、さらに、現在の技術を他の技術に置き換えることは、当技術分野における改良であろう。
【課題を解決するための手段】
【０００９】
本発明は、一般的に、２つ以上の器具間のねじ結合を改良するための構造および器具に関し、柔軟なインターフェースが、器具間に設けられる。特に、本発明は、ねじ結合を妨害するように構成された保持構造に関し、保持構造の存在は、ねじ器具のねじ部間の増大した摩擦力を提供し、それによって、結合の安全性を増大させ、ねじ結合の状態を示す、触覚フィードバックを使用者に提供する。いくつかの例において、保持構造は、ねじ結合が、徐々にまたは段階的に締め付けられることを示す触覚感知を、使用者に提供する。
【００１０】
いくつかの実施形態において、保持構造は、ねじ結合される器具の間の柔軟なインターフェースによって生ずる「スプリングバック」を防止するために設けられる。例えば、器具のねじ部と保持構造との間の摩擦力を増加させる、保持構造が設けられ得、それにより、ねじ面を結合する。他の例において、非伸展性の材料を含む、保持構造が設けられ、１つまたは複数のねじ結合される器具の伸展性材料が、保持構造の存在によって一時的に変形させられ、それによって、一連の係合されるねじ部間の摩擦力を増大させる。さらに、いくつかの例において、伸展性の材料を含む、保持構造が提供され、１つまたは複数のねじ結合される器具の非伸展性材料が、接触したときに、一時的に保持構造を変形させ、それによって、保持装置とねじ部間の摩擦力を増大させる。保持構造を変形する行為も、一連の相互接続されたねじ部間の摩擦力を増大させ得る。
【００１１】
本発明のいくつかの実施形態は、外側表面を有する本体を含む、ルアーアクセス器具を提供する。ルアーアクセス器具は、さらに、外側表面に形成され、ニードルレスコネクタのような、別個の器具を受け入れるように構成された、開口部を含む。ルアーアクセス器具は、さらに、開口部内に配置され、別個の器具を受け入れるスリットを有する、柔軟なセプタムを含む。ルアーアクセス器具は、さらに、器具の外側表面上で、器具の開口部の近傍に配置された一連のねじ部を含む。さらにまた、ルアーアクセス器具は、一連のねじ部に隣接した位置で、本体上に配置され、ルアーアクセス器具の一連のねじ部とねじ結合されるとき、別個の器具の一連の相補的なねじ部の一部と接触するように位置づけられた保持構造を含む。相補的なねじ部と保持構造との間で接触がなされるとき、ルアーアクセス器具と別個の器具との間の締め付けられた結合を示す、触覚フィードバックが、使用者に提供され、器具を係合解除するのに必要な増大した力が、ルアーアクセス器具から別個の器具の意図しない離脱を防止するためにもたらされる。
【００１２】
いくつかの例において、保持構造は、突出部を含む。保持構造は、ルアーアクセス器具上の任意の位置に配置され得る。いくつかの例において、保持構造は、ルアーアクセス器具の一連のねじ部の、上側のねじ部と下側のねじ部の間に配置される。他の例において、保持構造は、下側のねじ部に当接する第１の端部を含み、さらに、上側のねじ部に当接する第２の端部を含む。保持構造は、さらに、軸方向のテーパーを含み得、保持構造の表面は、構造の基部から構造の頂部へと、外向きにテーパー状である。例えば、いくつかの例において、保持構造の第２の端部は、第１の端部の突出高さよりも大きい突出高さを含み、その結果、保持構造は、第２の端部から第１の端部へと、内向きにテーパー状である。
【００１３】
保持構造は、さらに、傾斜構造を含み得、保持構造の第２の端部は、第１の端部の突出高さよりも大きい突出高さを含み、その結果、傾斜突出部は、第２の端部から第１の端部へと、内方にテーパー状である。保持構造は、さらに、前方の先導傾斜面、および、後方の、または、後端の傾斜面を含み、傾斜面は、ルアーアクセス器具の本体から保持構造の頂部へと、外向きにテーパー状である。いくつかの例において、頂部は対称である。他の例において、頂部は、非対称であり、頂部は、第２の幅よりも大きい第１の幅を含み、前方傾斜面とのインターフェースを形成する、軸方向テーパーを提供する。さらに、本発明のいくつかの実施形態は、第１の傾斜角を含む前方傾斜面と、第２の傾斜角を含む後方傾斜面を有する保持構造を提供し、第２の傾斜角は、第１の傾斜角よりも大きい。
【００１４】
本発明は、さらに、ルアーアクセス器具を製造するための方法を提供し、方法は、１）外側表面を有する本体を提供するステップ、２）本体の外側表面に、ニードルレスコネクタのような、別個の器具を受け入れるように構成された開口部を形成するステップ、３）ニードルレスコネクタを受け入れるためのスリットを有する柔軟なセプタムを、開口部に配置するステップ、４）開口部に近接して配置された、外側表面の一連のねじ部を提供するステップであって、本体の一部は、一連のねじ部に隣接するステップ、５）一連のねじ部に隣接する本体の一部に保持構造を配置するステップであって、保持構造は、一連のねじ部にねじ結合されるとき、ニードルレスコネクタの相補的な一連のねじ部の一部と接触するように位置づけられ、係合解除に対する抵抗と、ルアーアクセス器具とニードルレスコネクタとの間の締め付け結合の使用者への触覚フィードバックの両方を提供するステップ、を含む。
【００１５】
本発明の上記された、および、他の、態様および利点が得られる方法が、容易に理解されるように、簡単に上述された本発明のより詳細な説明が、添付の図面に示されたその特定の実施形態の参照によって提供される。これらの図面は、本発明の典型的な実施形態のみを示し、したがって、本発明の範囲を限定すると考えられるべきではない。
【図面の簡単な説明】
【００１６】
【図１】静脈内投与系の一部としての、従来技術のルアーアクセス器具の斜視図を示す図である。
【図２】静脈内投与系の一部としての、従来技術のルアーアクセス器具に結合された、従来技術の別個の器具の断面図を示す図である。
【図３Ａ】本発明の代表的な実施形態による、保持構造を有するルアーアクセス器具を示す図である。
【図３Ｂ】本発明の代表的な実施形態による、保持構造を有するルアーアクセス器具を示す図である。
【図３Ｃ】本発明の代表的な実施形態による、保持構造を有するルアーアクセス器具を示す図である。
【図３Ｄ】本発明の代表的な実施形態による、保持構造を有するルアーアクセス器具を示す図である。
【図３Ｅ】本発明の代表的な実施形態による、保持構造を有するルアーアクセス器具を示す図である。
【図３Ｆ】本発明の代表的な実施形態による、保持構造を有するルアーアクセス器具を示す図である。
【図３Ｇ】本発明の代表的な実施形態による、保持構造を有するルアーアクセス器具を示す図である。
【図４Ａ】本発明の代表的な実施形態による、テーパー状の保持構造を有する、ルアーアクセス器具を示す図である。
【図４Ｂ】本発明の代表的な実施形態による、テーパー状の保持構造を有する、ルアーアクセス器具を示す図である。
【図４Ｃ】本発明の代表的な実施形態による、テーパー状の保持構造を有する、ルアーアクセス器具を示す図である。
【図５Ａ】図４のテーパー状の保持構造の断面図を示し、本発明の代表的な実施形態による、ルアーアクセス器具と別個の器具との間のねじ結合の締め付け動作を示す図である。
【図５Ｂ】図４のテーパー状の保持構造の断面図を示し、本発明の代表的な実施形態による、ルアーアクセス器具と別個の器具との間のねじ結合の締め付け動作を示す図である。
【図６Ａ】本発明の代表的な実施形態による、非対称の狭いバンプ保持構造を有する、ルアーアクセス器具を示す図である。
【図６Ｂ】本発明の代表的な実施形態による、非対称の狭いバンプ保持構造を有する、ルアーアクセス器具を示す図である。
【図６Ｃ】本発明の代表的な実施形態による、非対称の狭いバンプ保持構造を有する、ルアーアクセス器具を示す図である。
【図７Ａ】本発明の代表的な実施形態による、軸方向のテーパーを備えた、非対称の広いバンプ保持構造を有する、ルアーアクセス器具を示す図である。
【図７Ｂ】本発明の代表的な実施形態による、軸方向のテーパーを備えた、非対称の広いバンプ保持構造を有する、ルアーアクセス器具を示す図である。
【図７Ｃ】本発明の代表的な実施形態による、軸方向のテーパーを備えた、非対称の広いバンプ保持構造を有する、ルアーアクセス器具を示す図である。
【図８Ａ】本発明の代表的な実施形態による、バーブ保持構造を有するルアーアクセス器具を示す図である。
【図８Ｂ】本発明の代表的な実施形態による、バーブ保持構造を有するルアーアクセス器具を示す図である。
【図８Ｃ】本発明の代表的な実施形態による、バーブ保持構造を有するルアーアクセス器具を示す図である。
【図９】本発明の代表的な実施形態による、ねじ部の一部を形成する保持構造を有する、ルアーアクセス器具の斜視図である。
【図１０】本発明の代表的な実施形態による、別個のねじ部の一部を形成する保持構造を有する、ルアーアクセス器具の斜視図である。
【発明を実施するための形態】
【００１７】
本明細書において、一般的に記載され、図面に示される、本開示の構成要素は、多種多様な構成で変更され、設計され得ることが理解されるであろう。したがって、図面に示される、以下のより詳細な説明は、本開示の範囲を限定することを意図されておらず、単に構成要素の例示的な組み合わせの代表である。
【００１８】
本明細書中で使用されるように、用語「ニードルレスコネクタ」は、静脈内投与アセンブリの一部として使用される、医療用カプラーを示すために使用される。いくつかの例において、ニードルレスコネクタは、ルアーアダプタを含む。他の例において、ニードルレスコネクタは、ＰＲＮコネクタを含む。ニードルレスコネクタの例は、ベクトン・ディッキンソンからの「Q-Syte（商品商標）」ルアーアクセスポートである。さらに、いくつかの例において、ニードルレスコネクタは、静脈内投与チューブの部分のポートまたは弁、または、そのコネクタを含む。当業者は、本発明のシステムおよび方法は、自動化された消毒が望まれる、様々な他のタイプのコネクタおよび他の器具との使用のために適合され得ることを理解するであろう。
【００１９】
図３を参照すると、本発明の代表的な実施形態に従った、ルアーアクセス器具１００が示される。ルアーアクセス器具１００は、現在、当技術分野で知られている、任意の一般的な構造または設計を含み得る。例えば、いくつかの例において、ルアーアクセス器具１００は、図３Ａに示されるように、キャップ構造を含む。図３Ｂの断面図に示されるように、ルアーアクセス器具１００は、代替的に、雄ルアー器具を含み得る。ルアーアクセス器具１００は、さらに、静脈内投与コネクタの一部であるアクセスポート構造を含み得る。
【００２０】
ルアーアクセス器具１００は、柔軟性セプタム１２２が着座する開口１３４を有する、剛性または半剛性材料から作られた本体１２０を含む。本体１２０は、さらに、本体１２０の外側表面上に、開口１３４に近接して配置される、一連のねじ部１４０を含む。ねじ部１４０は、ルアーアクセス器具１００と、シリンジ、ルアーアダプタ、キャップ、または、静脈内投与チューブの部分のような、別個の器具２６との間で、ねじ結合を容易にするために設けられる。いくつかの例において、ねじ部１４０は、本体１２０の外側表面の一部を占める、複数の部分的なねじ部を含み、部分的なねじ部は、それぞれ、ねじ部が配置された外側表面の周囲よりも小さいねじ長さを有する。
【００２１】
ルアーアクセス器具１００は、さらに、一連のねじ部１４０に隣接して本体１２０に配置された保持構造１５０を含む。一般的に、保持構造１５０は、本体１２０上に配置され、その結果、別個の器具２６が、ねじ部１４０を介してルアーアクセス器具１００に結合されたとき、保持構造１５０は、別個の器具２６上の一連の相補的なねじ部と接触するであろう。したがって、保持構造１５０の具体的な位置は、変化し得、なお、その意図された目的を達成し得る。
【００２２】
例えば、いくつかの例において、保持構造１５０は、図３Ａおよび図３Ｂに示されるように、ねじ部の中央または端部近傍の位置で、ねじ部１４０の下方に配置される。このように構成されるので、別個の器具２６の相補的なねじ部は、保持構造１５０に接触する前に、ねじ部１４０に係合し得る。別個の器具２６が、さらに、ねじ部１４０に螺合されると、別個の器具２６の相補的なねじ部は、保持構造１５０と接触し、それによって、使用者に、２つの構成要素間の締め付け結合の触覚感知を提供する。相補的な一連のねじ部と保持構造１５０の間の接触は、さらに、締結構成要素間に、増大した摩擦をもたらし、それによって、柔軟性セプタム１２２によって引き起こされる「スプリングバック」作用を克服する。
【００２３】
保持構造１５０は、本発明の教示に適合する、任意の形状、構成、テクスチャ、または、他の構造を含み得る。いくつかの例において、保持構造１５０は、ねじ部１４０とねじ係合するように意図された一連の相補的なねじ部のための経路における、障害を提供する突出部を含む。
【００２４】
例えば、保持構造１５０は、別個の血管外器具の一連の相補的なねじ部の経路に存在するように、ねじ部１４０に近接して配置され得る。別個の器具２６が、最初に、ルアーアクセス器具１００のねじ部１４０にねじ込まれるとき、別個の器具２６のプローブ１３８部分は、図３Ｃに示されるように、セプタム１２２を貫通する。いくつかの例において、プローブ１３８が、セプタム１２２を通して進められるとき、相補的なねじ部３６は、すぐには、保持構造１５０と接触しない。むしろ、ねじ部１４０と相補的なねじ部３６は、自由に流動的に係合することを許容される。しかし、相補的なねじ部３６およびねじ部１４０の更なる係合で、相補的なねじ部３６は、図３Ｄに示されるように、別個の器具２６とルアーアクセス器具１００とが、完全な、ねじ係合に近づくにつれて、保持構造１５０と接触する。
【００２５】
相補的なねじ部３６と保持構造１５０との間の接触と相互作用は、ねじ結合の力学に変化をもたらす。いくつかの例において、この変化は、２つの構成要素間のねじ結合を完了するために、使用者による、増大した回転トルクを必要とする。他の例において、この変化は、さらに、２つの構成要素間の増大した摩擦をもたらし、それは、結合が締め付けられたと使用者によって感じられ得る。したがって、保持構造１５０は、柔軟性セプタム１２２の「スプリングバック」作用を克服して、接続の安全性を向上させ、一方で、同時に、結合の締め付けを確認する、所望の触覚フィードバックを使用者に提供する。
【００２６】
いくつかの例において、別個の器具２６の相補的なねじ部は、図３Ｅに示されるように、器具２６の相補的なねじ部が保持構造１５０と接触するとき、一時的または恒久的に変形する伸展性の材料を含む。相補的なねじ部と保持構造１５０との間の接触は、一時的または恒久的に、別個の器具２６の内径、または、相補的なねじ部の形状を変形させ、それによって、別個の器具２６およびルアーアクセス器具１００の結合を継続するために必要な回転力を増大させる。
【００２７】
逆に、いくつかの例において、保持構造１５０は、図３Ｆに示されるように、器具２６の非伸展性の相補的なねじ部が、保持構造１５０と接触するとき、一時的または恒久的に変形する伸展性材料を含む。器具２６の相補的なねじ部は、保持構造１５０に食い込み、それによって、２つの構成要素間の摩擦を増大させる。
【００２８】
さらにまた、いくつかの例において、本体１２０は、伸展性の材料を含み、図３Ｇに示されるように、それは、接触が、別個の器具２６と保持構造１５０との間でなされるときに、一時的に変形する。例えば、いくつかの例において、相補的なねじ部３６と保持構造１５０との間の非伸展性インターフェースは、相補的なねじ部３６を外向きに変位または偏向させ、それによって、ルアーアクセス器具１００と別個の器具２６との間のねじ結合を完了するのに必要な回転トルクを増大させる。
【００２９】
次に、図４Ａ−４Ｃを参照すると、ルアーアクセス器具１００は、さらに、テーパー状保持構造２５０を含み得る。いくつかの例において、ルアーアクセス器具１００は、図４Ａおよび図４Ｂに示されるように、本体１２０の一連のねじ部１４０の下方に配置された、単一のテーパー状保持構造２５０を含む。他の実施形態において、ルアーアクセス器具１００は、図４Ｃに示されるように、本体１２０の上側のねじ部１４０ａと下側のねじ部１４０ｂの間に介装して配置される、１つ以上のテーパー状保持構造２５０を含む。保持構造２５０は、上側のねじ部１４０ａから下側のねじ部１４０ｂへ、内向きにテーパー状であり、その結果、保持構造２５０は、下側の厚さへテーパー状となる上側の厚さを含み、下側の厚さは、上側の厚さより小さい。
【００３０】
図５Ａおよび５Ｂを参照すると、別個の器具２６の相補的なねじ部３６とテーパー状保持構造２５０との間の相互作用を説明する、様々な断面図が提供される。別個の器具２６がルアーアクセス器具１００に螺合されるとき、相補的なねじ部３６の下面は、図５Ａに示されるように、最初、ねじ部１４０の上面によって支持される。器具のさらなる結合または螺合で、図５Ｂに示されるように、別個の器具２６の末端部３７とルアーアクセス器具１００の本体１２０のとの間で、接触が形成され、それによって、セプタム１２２を介するプローブ１３８のさらなる挿入を防止する。少なくともいくつかの実施形態において、相補的なねじ部３６とテーパー状の保持構造２５０との間の接触は、末端部３７と本体１２０との間の接触の開始時または開始前に生ずる。
【００３１】
別個の器具２６の更なる回転で、相補的なねじ部３６は、本体１２０とねじ部１４０の固定位置に対して回転させられる。相補的なねじ部３６のピッチは、相補的なねじ部３６が保持構造２５０を横切って上方に移動することをもたらし、その結果、相補的なねじ部３６の頂面は、上側のねじ部１４０ａの底面と接触する。相補的なねじ部３６が、保持構造２５０を横切って移動すると、保持構造２５０の外向きのテーパーは、相補的なねじ部３６と保持構造２５０の間の抵抗を増大させる。この増大した抵抗は、器具間の結合が次第に固くなることを示す所望の触覚感知を使用者に提供する。相補的なねじ部３６の頂面が、ねじ部１４０の底面に完全に着座し、末端部３７が、本体１２０に接触するとき、器具１００と２６との間の結合が完了し、使用者は、もはや、さらに回転させることができず、および／または、結合を引き締めることができない。相補的なねじ部３６と保持構造２５０との間の相互作用は、締め付けられた結合を維持し、それによって、いかなる「スプリングバック」作用をも防止する。
【００３２】
本発明は、本明細書の教示と調和した、様々な大きさ、形状および態様を有する、任意の数の保持構造を含み得る。例えば、図６Ａ−６Ｃを参照すると、本発明のいくつかの実施形態は、ルアーアクセス器具１００と別個の器具２６との間の接続の緊締、および、弛緩を補助するために、種々の軸方向傾斜路を有する、非対称バンプを含む保持構造３５０を含む。
【００３３】
いくつかの例において、保持構造３５０は、浅い、傾斜度を有する、前方傾斜面３５２を含む。保持構造３５０を越えて、相補的なねじ部３６を通過させるために必要な力は、相補的なねじ部３６が前方傾斜面３５２を進むにつれ、徐々に増大する。保持構造３５０は、さらに、前方傾斜面３５２と対向し、深い、傾斜度を含む後方傾斜面３５４を含む。
【００３４】
いくつかの例において、相補的なねじ部３６は、保持構造３５０によって接触されるとき、一時的に変形する伸展性の材料を含む。しかるがゆえに、相補的なねじ部３６が、ねじ部１４０に螺合するとき、保持構造３５０に接触する相補的なねじ部３６の一部は、ねじ部３６が、前方傾斜面３５２を上昇し、保持構造３５０の頂部３５６上に進むにつれて、徐々に、および、一時的に変形する。相補的なねじ部３６の一部が、保持構造３５０の頂部３５６を超え、後方傾斜面３５４を通過すると、ねじ部３６は、その元の形に復元される。このように、保持構造３５０に接触しない、相補的なねじ部３６の部分は変形されず、一方、保持構造３５０に接触する、相補的なねじ部３６の部分は、図６Ｃに示されるように、変形される。
【００３５】
相補的なねじ部３６と深い傾斜度の後方傾斜面３５４とのインターフェースは、浅い傾斜度の前方傾斜面３５２に基づいて、ねじ部３６と１４０を螺合するのに必要なトルクに比べて、相補的なねじ部３６をねじ部１４０から係合解除または螺退させるために、増大したトルクを必要とする。この態様は、ルアーアクセス器具１００からの別個の器具２６の意図しない離脱を防止する。さらに、後方傾斜面３５４の、より深い傾斜度と、より短い長さは、一度、必要なトルクが適用され、相補的なねじ部３６と後方傾斜面３５４のインターフェースが解放されると、保持構造３５０からの相補的なねじ部３６の迅速な離脱を可能とする。
【００３６】
いくつかの例において、ルアーアクセス器具１００は、さらに、軸方向のテーパーを含む、非対称の広いバンプ４５６を有する保持構造４５０を含み、広いバンプ４５６は、図７Ａ−７Ｃに示されるように、さらに、浅い前方傾斜面４５２と、深い後方傾斜面４５４を含む。前方、後方の傾斜面４５２および４５４は、上述の保持構造３５０に関連して説明されたと同様の利点を提供する。広いバンプ４５６は、保持構造３５０の頂部３５６と等価であるが、広いバンプ４５６の増大した幅は、保持構造４５０と相補的なねじ部３６との間のインターフェースを増大させる。しかるがゆえに、ルアーアクセス器具１００と別個の器具２６との間の抵抗の期間が増加させられる。広いバンプ４５６の増加幅は、さらに、保持構造４５０によって変形される、相補的なねじ部３６の長さや量を増大させ、それによって、相互接続された器具を螺合、および／または、螺脱するために、追加のトルクを必要とする。
【００３７】
広いバンプ４５６は、さらに、図４Ａ−５Ｂに関連して示され、上述された、保持構造２５０のテーパーと同様の、軸方向テーパーを含む。このように、別個の器具２６が、ルアーアクセス器具１００にねじ込まれるとき、相補的なねじ部３６は、広いバンプ４５６を上方に移動し、それによって、相補的なねじ部３６と保持構造４５０との間の抵抗を増加させる。相補的なねじ部３６は、相補的なねじ部３６の上側のねじ表面が、ねじ部１４０の下側のねじ表面とインターフェースを形成するとき、ねじ部１４０と最大限に係合し、それによって、別個の器具２６の更なる回転を防止する。この位置において、相補的なねじ部３６は、軸方向テーパーの最大幅において、広いバンプ４５６上に位置づけられ、それにより、保持構造４５０と相補的なねじ部３６間の干渉を最大にする。
【００３８】
図８Ａ−８Ｃを参照すると、本発明のいくつかの実施形態は、さらに、一方向バーブを含む保持構造５５０を含む。いくつかの実施形態において、保持構造５５０は、柔軟な、弾性材料を含んで、相補的なねじ部３６の経路に配置され、その結果、相補的なねじ部３６は、図８Ｃに示されるように、保持構造５５０と接触し、これを一時的に変位させる。いくつかの実施形態において、保持構造５５０は、広い基部と狭い先端部を有し、その結果、保持構造５５０のせん断強度は、先端部において小さく、基部において大きい。このように、基部を変位させるのに必要とされるよりも小さいせん断力が、保持構造５５０の先端部を変位させるために必要とされる。しかるがゆえに、使用者は、徐々に締め付けられる結合の触覚感知を提供される。いくつかの例において、保持構造５５０は、テーパー状の側壁を含み、その結果、保持構造５５０のせん断強度は、構造の先端部から基部まで、直線的に上昇する。他の例において、保持構造５５０は、先端部から基部まで、せん断強度の非線形上昇を達成するための形状を有する側壁を含む。
【００３９】
保持構造５５０の弾力性は、変位時に、相補的なねじ部３６に外向きの力を加える。この外向きの力は、使用者に、ねじ結合が引き締まっていることを示す、触覚感知を提供する。外向きの力は、さらに、ねじ結合を進行し続けるために必要なトルクを増大させる。完全に係合すると、外向きの力は、ねじ付き器具の意図しない離脱を防止する。
【００４０】
器具を螺脱させるとき、保持構造５５０によって適用される外向きの力は、相補的なねじ部３６と保持構造５５０との間の摩擦力を克服するために、増大した回転力を必要とする。相補的なねじ部３６と保持構造５５０との間の摩擦力は、器具がねじ戻されるとき、相補的なねじ部３６のテーパー形状と、保持構造５５０の弾力性のため、徐々に低下する。相補的なねじ部３６が、もはや、保持構造５５０と接触しない点で、ねじ部３６と構造５５０の間のすべての摩擦力は止まり、器具をねじ戻すために必要なトルクの量は減少する。
【００４１】
図９を参照すると、いくつかの実施形態において、保持構造６５０は、ねじ部１４０の一部として提供される。この構造において、保持構造６５０は、相補的なねじ部３６と直接的に相互作用するのとは対照的に、相補的なねじ部３６の間に、または、相補的なねじ部３６に隣接して介装される、器具２６の表面と相互作用する。例えば、保持構造６５０は、相補的なねじ部３６の外径と係合するように設計され得、前の保持構造の実施形態は、相補的なねじ部３６の内径に係合するように構成される。
【００４２】
保持構造６５０は、前述の保持構造の態様または要素のいずれかを含み得る。例えば、いくつかの例において、保持構造６５０は、前方傾斜面６５２と後方傾斜面６５４を含む。保持構造６５０は、さらに、広いバンプ表面を含み得る。いくつかの例において、２つ以上の保持構造を含むルアーアクセス器具が設けられ、第一の保持構造は、一連の相補的なねじ部と直接相互作用するように構成され、第二の保持構造は、相補的なねじ部の間に介装されるか、これに隣接する、別個の器具の表面と相互作用するように構成される。
【００４３】
いくつかの例において、ルアーアクセス器具１００は、別のねじ部１４０ａの一部を含む保持構造７５０を含む。したがって、ねじ部１４０と別のねじ部１４０ａとの間に、ギャップ１４１が設けられる。保持構造７５０は、他の保持構造のいずれかに関連して上述された任意の構造または構造の組み合わせを含み得る。いくつかの例において、保持構造７５０は、前方傾斜面７５２から後方傾斜面７５４まで、半径方向にテーパー状とされる広いバンプ７５６を含む。したがって、保持構造７５０と相補的なねじ部３６の外径との間の摩擦力は、広いバンプ７５６と相補的なねじ部の接触が進行すると、徐々に増大する。
【００４４】
本発明は、本明細書に広く記載され、以下に特許請求される、その構造、方法、または、他の本質的な特徴から逸脱することなく、他の特定の形態で具体化され得る。したがって、記載された実施形態は、あらゆる点で、単に例示であり、限定的ではないと考慮されるべきである。本発明の範囲は、したがって、前述の説明によってではなく、添付の特許請求の範囲によって示される。特許請求の範囲の意味および等価の範囲内に入るすべての変更は、その範囲内に包含される。
【図１】
2019103898.tif 000003
【図２】
2019103898.tif 000004
【図３Ａ】
2019103898.tif 000005
【図３Ｂ】
2019103898.tif 000006
【図３Ｃ】
2019103898.tif 000007
【図３Ｄ】
2019103898.tif 000008
【図３Ｅ】
2019103898.tif 000009
【図３Ｆ】
2019103898.tif 000010
【図３Ｇ】
2019103898.tif 000011
【図４Ａ】
2019103898.tif 000012
【図４Ｂ】
2019103898.tif 000013
【図４Ｃ】
2019103898.tif 000014
【図５Ａ】
2019103898.tif 000015
【図５Ｂ】
2019103898.tif 000016
【図６Ａ】
2019103898.tif 000017
【図６Ｂ】
2019103898.tif 000018
【図６Ｃ】
2019103898.tif 000019
【図７Ａ】
2019103898.tif 000020
【図７Ｂ】
2019103898.tif 000021
【図７Ｃ】
2019103898.tif 000022
【図８Ａ】
2019103898.tif 000023
【図８Ｂ】
2019103898.tif 000024
【図８Ｃ】
2019103898.tif 000025
【図９】
2019103898.tif 000026
【図１０】
2019103898.tif 000027